(57)【要約】【課題】低周波数で駆動されることで消費電力が低く、かつ、フリッカが低減された表示品位の高い有機ＥＬ表示装置を提供する。【解決手段】有機ＥＬ素子を有する複数の画素と、有機ＥＬ素子に対する電流の供給を遮断するか否かを制御するトランジスタと、を有する表示パネルと、トランジスタに入力するパルス信号を生成するパルス信号生成回路と、パルス信号のタイミング及びパルス幅の設定に関する情報を記憶する記憶部と、を有する有機ＥＬ表示装置であって、記憶部は、１フレーム期間中に、順に、パルスより前の期間である第１発光期間と、パルスの幅に相当する期間である黒表示期間と、第１発光期間より長い第２発光期間を含み、かつ、発光期間の長さと輝度の積で表される面積が、第１発光期間よりも第２発光期間の方が大きくなるように情報を記憶することを特徴とする。【選択図】図３
2018063351.tif 000002
【特許請求の範囲】
【請求項１】
有機ＥＬ素子を有する複数の画素と、前記有機ＥＬ素子に対する電流の供給を遮断するか否かを制御するトランジスタと、を有する表示パネルと、
前記トランジスタに入力するパルス信号を生成するパルス信号生成回路と、
前記パルス信号のタイミング及びパルス幅の設定に関する情報を記憶する記憶部と、
を有する有機ＥＬ表示装置であって、
前記記憶部は、１フレーム期間中に、順に、前記パルスより前の期間である第１発光期間と、前記パルスの幅に相当する期間である黒表示期間と、前記第１発光期間より長い第２発光期間とを含み、かつ、発光期間の長さと輝度の積で表される面積が、前記第１発光期間よりも前記第２発光期間の方が大きくなるように前記情報を記憶することを特徴とする有機ＥＬ表示装置。
【請求項２】
前記記憶部は、さらに、前記黒表示期間と前記第２発光期間の間に、前記第１発光期間と同じ長さの第３発光期間を有するように前記情報を記憶する手段を含むことを特徴とする請求項１に記載の有機ＥＬ表示装置。
【請求項３】
前記記憶部は、さらに、前記黒表示期間と前記第２発光期間の間に、前記第１発光期間よりも短く、前記第２発光期間よりも長い第３発光期間を有するように前記情報を記憶する手段を含むことを特徴とする請求項１又は２に記載の有機ＥＬ表示装置。
【請求項４】
前記記憶部は、さらに、複数の前記第３発光期間を有し、該複数の第３発光期間は、前記第１発光期間から前記第２発光期間に近づくにつれて徐々に長くなるように前記情報を記憶する手段を含むことを特徴とする請求項３に記載の有機ＥＬ表示装置。
【請求項５】
前記記憶部は、さらに、前記１フレーム期間中に挿入される前記黒表示期間の数に関する前記情報を記憶する手段を含むことを特徴とする請求項１乃至４のいずれかに記載の有機ＥＬ表示装置。
【請求項６】
前記複数の画素の各々は、前記１フレーム期間中に輝度が漸次低下することを特徴とする請求項１乃至５のいずれかに記載の有機ＥＬ表示装置。
【請求項７】
有機ＥＬ素子を有する複数の画素で構成される有機ＥＬ表示装置の駆動方法であって、
前記駆動方法は、１フレーム期間に、順に第１発光期間と、黒表示期間と、第２発光期間と、を含み、
前記各画素は、前記第１発光期間に入力された映像信号に応じた輝度で発光し、前記黒表示期間に黒画像を表示し、前記第２発光期間に前記第１発光期間よりも低い輝度を発光し、
前記第１発光期間は前記第２発光期間より短く、発光期間の長さと輝度の積で表される面積は、前記第１発光期間よりも前記第２発光期間の方が大きい、ことを特徴とする有機ＥＬ表示装置の駆動方法。
【請求項８】
前記複数の画素の各々は、前記１フレーム期間中に輝度が漸次低下することを特徴とする請求項７に記載の有機ＥＬ表示装置の駆動方法。
【発明の詳細な説明】
【技術分野】
【０００１】
本発明は、有機ＥＬ表示装置及び有機ＥＬ表示装置の駆動方法に関する。
【背景技術】
【０００２】
近年、有機ＥＬ（Electro-luminescent）素子を用いた有機ＥＬ表示装置において、表示品位を向上させるため、フリッカを低減するための技術開発が行われている。
【０００３】
例えば、特許文献１は、１フレームの発光期間において、画素の発光素子を断続的に発光させ、かつ、各発光期間の輝度を徐々に低下させることで、フリッカを低減する駆動方法を開示している。
【０００４】
特許文献２は、画面全体の平均輝度レベルに基づいて発光モードを判別し、判別した発光モードごとに予め規定された設定条件に従って、１フレーム期間内に配置される点灯期間の数、配置位置及び期間長を設定することでフリッカを低減する点を開示している。
【０００５】
特許文献３は、液晶パネルにおいて１フレームの画像データが表示されている期間内に、高輝度でバックライトを発光させる期間と、当該期間より長くかつ低輝度でバックライトを発光させる期間を設ける点を開示している。
【先行技術文献】
【特許文献】
【０００６】
【特許文献１】特開２０１２−５３４４７号公報
【特許文献２】特開２００９−１９２７５３号公報
【特許文献３】特開２０１３−１８６２５５号公報
【発明の概要】
【発明が解決しようとする課題】
【０００７】
フレーム周波数が高い有機ＥＬ表示装置においては、上記特許文献に記載された方法によってフリッカは低減される。しかしながら、消費電力を低減するために、フレーム周波数を下げた場合、当該方法を用いた有機ＥＬ表示装置においてもフリッカが発生する。例えば、６０Ｈｚの映像信号が入力されて動作する有機ＥＬ表示装置が普及しているが、当該有機ＥＬ表示装置が３０Ｈｚで駆動されると、人間の目はフリッカを認識する。
【０００８】
図８（ａ）及び（ｂ）を用いて、輝度の時間による変化について説明する。図８（ａ）は、通常の状態において６０Ｈｚで駆動する有機ＥＬ表示装置を、従来のフリッカを低減する駆動方法によって３０Ｈｚで駆動をした場合における、輝度の時間による変化を示す図である。
【０００９】
なお、表示装置が６０Ｈｚで駆動した場合、１フレーム期間の長さは１６．７ｍｓである。また、表示装置が３０Ｈｚで駆動した場合、１フレーム期間の長さは３３．３ｍｓである。
【００１０】
図８（ａ）に示すように、有機ＥＬ表示装置の輝度は、１フレーム期間の開始時点で最も高く、１フレーム期間の終了時点に向けて徐々に低くなる。従って、６０Ｈｚで駆動する表示装置を３０Ｈｚで駆動すると、フレームの切り替わり時に輝度が大きく変化することから、フリッカが発生する。
【００１１】
そこで、従来は、フリッカを低減するために、１フレーム期間の前半に黒表示期間が設けられていた。また、１フレーム期間の前半と後半の輝度と発光期間の積で表される面積が同じになるように、黒表示期間が設けられていた。ここで、１フレーム期間の前半における輝度と発光期間の積Ｓ１は、１フレーム期間の後半における輝度と発光期間の積Ｓ２と同じとなるように、黒表示期間の長さが設定されていた。
【００１２】
同様に、図８（ｂ）は、通常の状態において６０Ｈｚで駆動する有機ＥＬ表示装置を、従来のフリッカを低減する駆動方法によって３０Ｈｚで駆動をした場合における、輝度の時間による変化を示す図である。図８（ｂ）に示す駆動方法は、１フレーム期間の前半及び後半それぞれにおいて５個の発光期間を設ける点が図８（ａ）示す駆動方法と異なる。
【００１３】
図８（ｂ）に示す駆動方法においても、１フレーム期間の前半における発光期間と輝度の積で表される面積Ｓ１ａ乃至Ｓ１ｅの合計と、１フレーム期間の後半における発光期間と輝度の積で表される面積Ｓ２ａ乃至Ｓ２ｅの合計が等しくなりように、各発光期間の間に設けられる黒表示期間の長さが設定されていた。
【００１４】
図８（ａ）及び（ｂ）に示すような駆動方法によれば、１フレーム期間の前半における発光期間と輝度の積で表される面積は、後半における発光期間と輝度の積で表される面積と等しくなる。しかしながら、発明者らは、有機ＥＬ表示装置においては、当該面積を等しくした場合であっても、フリッカを抑制しきれないことを発見した。
【００１５】
本発明は上記課題に鑑みてなされたものであって、その目的は、低周波数で駆動されることで消費電力が低く、かつ、フリッカが低減された表示品位の高い有機ＥＬ表示装置を提供することにある。
【課題を解決するための手段】
【００１６】
本発明の一態様は、有機ＥＬ素子を有する複数の画素と、前記有機ＥＬ素子に対する電流の供給を遮断するか否かを制御するトランジスタと、を有する表示パネルと、前記トランジスタに入力するパルス信号を生成するパルス信号生成回路と、前記パルス信号のタイミング及びパルス幅の設定に関する情報を記憶する記憶部と、を有する有機ＥＬ表示装置であって、前記記憶部は、１フレーム期間中に、順に、前記パルスより前の期間である第１発光期間と、前記パルスの幅に相当する期間である黒表示期間と、前記第１発光期間より長い第２発光期間とを含み、かつ、発光期間の長さと輝度の積で表される面積が、前記第１発光期間よりも前記第２発光期間の方が大きくなるように前記情報を記憶することを特徴としたものである。
【００１７】
さらに、本発明の他の一態様は、有機ＥＬ素子を有する複数の画素で構成される有機ＥＬ表示装置の駆動方法であって、前記駆動方法は、１フレーム期間に、順に第１発光期間と、黒表示期間と、第２発光期間と、を含み、前記各画素は、前記第１発光期間に入力された映像信号に応じた輝度で発光し、前記黒表示期間に黒画像を表示し、前記第２発光期間に前記第１発光期間よりも低い輝度を発光し、前記第１発光期間は前記第２発光期間より短く、発光期間の長さと輝度の積で表される面積は、前記第１発光期間よりも前記第２発光期間の方が大きい、ことを特徴としたものである。
【図面の簡単な説明】
【００１８】
【図１】本発明の実施形態に係る表示装置を概略的に示す図である。
【図２】表示モジュールの機能的構成について説明するための図である。
【図３】サブピクセルの回路を概略的に示す一例である。
【図４】６０Ｈｚ駆動を行う場合におけるタイミングチャートである。
【図５】３０Ｈｚ駆動を行う場合におけるタイミングチャートである。
【図６】黒表示について説明するための図である。
【図７】本発明の実施形態における輝度の時間変化を説明するための図である。
【図８】従来技術における輝度の時間変化を説明するための図である。
【発明を実施するための形態】
【００１９】
以下に、本発明の各実施の形態について、図面を参照しつつ説明する。図面は、説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して詳細な説明を適宜省略することがある。
【００２０】
図１は、本発明の実施形態に係る表示装置１００の概略を示す図である。図に示すように、表示装置１００は、上フレーム１１０及び下フレーム１２０に挟まれるように固定された表示モジュール１３０から構成されている。
【００２１】
図２は、図１の表示モジュール１３０の機能的構成について説明するための図である。図２に示すように、表示モジュール１３０は、タイミングコントロール回路２００と、信号系ゲート回路２０２と、ソース回路２０４と、パルス信号生成回路２０６と、記憶部２０８と、ＥＬ系ゲート回路２１０と、表示パネル２１２と、を有する。
【００２２】
タイミングコントロール回路２００は、映像信号を表示モジュール１３０に供給する装置から、クロック信号（ＣＬＫ）、垂直同期信号（ＶＳＹＮＣ）及び水平同期信号（ＨＳＹＮＣ）を取得する。また、タイミングコントロール回路２００は、取得した信号に基づいて、ゲートクロック信号（ＣＫＶＳ）及びゲートスタート信号（ＳＴＶＳ）を生成し、信号系ゲート回路２０２に出力する。また、タイミングコントロール回路２００は、取得した信号に基づいて、ソースクロック信号（ＨＣＬＫ）及びソース回路２０４用の水平同期信号（内部ＨＳＹＮＣ）を生成し、ソース回路２０４に出力する。さらに、タイミングコントロール回路２００は、取得した信号に基づいて、黒挿入クロック信号（ＣＫＶＢ）及び黒挿入スタート信号（ＳＴＶＢ）を生成し、パルス信号生成回路２０６に出力する。黒挿入クロック信号及び黒挿入スタート信号については後述する。
【００２３】
信号系ゲート回路２０２は、後述する各有機ＥＬ素子３１０に対して電流を流すタイミングを制御する。具体的には、信号系ゲート回路２０２は、ゲートクロック信号及びゲートスタート信号に基づいて、有機ＥＬ素子３１０に電流を流すタイミングを制御するゲート信号を生成し、後述するゲート信号線２２２に供給する。
【００２４】
ソース回路２０４は、各有機ＥＬ素子３１０に対して流す電流の大きさを制御する。具体的には、ソース回路２０４は、映像信号を表示モジュール１３０に供給する装置から映像信号を取得する。また、ソース回路２０４は、タイミングコントロール回路２００から取得したソースクロック信号、ソース回路２０４用の水平同期信号及び映像信号に基づいて、各画素２２８に映像信号に応じた電圧を後述する映像信号線２２４に供給する。
【００２５】
パルス信号生成回路２０６は、後述する黒挿入トランジスタ３１２に入力するパルス信号を生成する。具体的には、例えば、パルス信号生成回路２０６は、黒挿入補正回路２１４と、黒挿入生成回路２１６と、を含んで構成される。
【００２６】
黒挿入補正回路２１４は、タイミングコントロール回路２００から取得した黒挿入クロック信号及び黒挿入スタート信号と、記憶部２０８に記憶された情報と、に基づいて、第１黒挿入スタート信号（ＳＴＶＢ＿ＢＬ１）を生成する。また、黒挿入補正回路２１４は、タイミングコントロール回路２００から取得した黒挿入クロック信号を、そのまま黒挿入生成回路２１６に供給する。
【００２７】
黒挿入生成回路２１６は、第１黒挿入スタート信号と記憶部２０８に記憶された情報に基づいて、第２黒挿入スタート信号（ＳＴＶＢ＿ＢＬ２）を生成する。また、黒挿入生成回路２１６は、黒挿入補正回路２１４から取得した黒挿入クロック信号を、そのままＥＬ系ゲート回路２１０に供給する。第１黒挿入スタート信号及び第２黒挿入スタート信号については後述する。
【００２８】
記憶部２０８は、パルス信号のタイミング及びパルス幅の設定に関する情報を記憶する。具体的には、例えば、記憶部２０８は、１フレーム期間中に、順に、黒挿入信号のパルスより前の期間である第１発光期間と、パルスの幅に相当する期間である黒表示期間と、第１発光期間より長い第２発光期間とを含み、かつ、発光期間の長さと輝度の積で表される面積が、第１発光期間よりも第２発光期間の方が大きくなるように情報を記憶する。第１発光期間、第２発光期間及び黒表示期間については後述する。
【００２９】
また、記憶部２０８は、例えば、不揮発性メモリなどにより形成されたメモリである。具体的には、記憶部２０８は、周期幅メモリ２１８と、補正メモリ２２０と、を含んで構成される。
【００３０】
周期幅メモリ２１８は、パルス信号生成回路２０６がパルス信号を生成する際に用いるタイミング及びパルス幅の設定に関する情報を記憶する。具体的には、例えば、周期幅メモリ２１８は、１フレーム期間の開始時点から黒挿入期間までの期間や、パルス幅をｔ１期間とする旨の情報を記憶する。
【００３１】
また、周期幅メモリ２１８は、１フレーム期間中に挿入される黒表示期間の数に関する情報を記憶してもよい。例えば、周期幅メモリ２１８は、１フレーム期間に１０回の黒挿入期間を設ける旨の情報を記憶する。
【００３２】
補正メモリ２２０は、１フレーム期間に含まれる黒挿入期間の長さの設定に関する情報を記憶する。具体的には、例えば、１フレーム期間に黒挿入期間が複数設けられる場合、補正メモリ２２０は、各黒挿入期間が徐々に短くするか否かを示す情報を記憶する。
【００３３】
ＥＬ系ゲート回路２１０は、各有機ＥＬ素子３１０に対して流す電流を遮断するタイミングを制御する。具体的には、ＥＬ系ゲート回路２１０は、黒挿入クロック信号及び第２黒挿入スタート信号に基づいて、有機ＥＬ素子３１０に流す電流を遮断するタイミングを制御する黒挿入信号を生成し、後述する黒挿入ゲート信号線２２６に供給する。
【００３４】
表示パネル２１２は、複数の画素２２８と、ゲート信号線２２２と、映像信号線２２４と、黒挿入ゲート信号線２２６と、を含んで構成される。複数の画素２２８は、それぞれ、異なる色の光を発する複数のサブピクセル２３０を含んで構成される。ゲート信号線２２２、映像信号線２２４及び黒挿入ゲート信号線２２６については、図３を用いて説明する。
【００３５】
図３は、１個のサブピクセル２３０に形成された回路を概略的に示す一例である。図３に示すように、サブピクセル２３０に形成された回路は、ゲート信号線２２２と、映像信号線２２４と、黒挿入ゲート信号線２２６と、画素選択トランジスタ３００と、コンデンサ３０２と、電源３０４と、カソード電極３０６と、駆動トランジスタ３０８と、有機ＥＬ素子３１０と、黒挿入トランジスタ３１２と、を含んで構成される。
【００３６】
ゲート信号線２２２は、画素選択トランジスタ３００のゲート端子と接続される。具体的には、ゲート信号線２２２は、信号系ゲート回路２０２と画素選択トランジスタ３００のゲート端子とを電気的に接続し、信号系ゲート回路２０２から取得したゲート信号を画素選択トランジスタ３００のゲート端子に供給する。
【００３７】
映像信号線２２４は、画素選択トランジスタ３００のソース端子又はドレイン端子の一方と接続される。具体的には、映像信号線２２４は、ソース回路２０４と画素選択トランジスタ３００のソース端子又はドレイン端子の一方とを電気的に接続し、ソース回路２０４から取得した映像信号に応じた電圧を画素選択トランジスタ３００のソース端子又はドレイン端子の一方に供給する。
【００３８】
黒挿入ゲート信号線２２６は、黒挿入トランジスタ３１２のゲート端子と接続される。具体的には、黒挿入ゲート信号線２２６は、ＥＬ系ゲート回路２１０と黒挿入トランジスタ３１２のゲート端子と電気的に接続し、ＥＬ系ゲート回路２１０から取得した黒挿入信号を黒挿入トランジスタ３１２のゲート端子に供給する。
【００３９】
画素選択トランジスタ３００は、駆動トランジスタ３０８に映像信号電圧を供給するタイミングを制御する。具体的には、画素選択トランジスタ３００は、ゲート端子に印加される電圧がハイ状態又はロー状態のいずれか一方の状態で、画素選択トランジスタ３００のソース端子とドレイン端子を導通する（以下、オン状態とする）。画素選択トランジスタ３００は、ゲート端子に供給されるゲート信号の状態に応じて、映像信号線２２４の電圧をコンデンサ３０２に供給することで、駆動トランジスタ３０８に映像信号電圧を供給するタイミングを制御する。
【００４０】
コンデンサ３０２は、映像信号線２２４から供給された電圧を保持する。具体的には、コンデンサ３０２は、画素選択トランジスタ３００がオン状態であるタイミングで、映像信号線２２４の電圧と同電位となる。その後、ゲート信号によって、画素選択トランジスタ３００は、ソース端子とドレイン端子が電気的に遮断された状態（以下、オフ状態とする）となる。コンデンサ３０２は、次に画素選択トランジスタ３００がオン状態となるまで、フローティング状態となるため、映像信号線２２４から供給された電圧を保持する。
【００４１】
ここで、画素選択トランジスタ３００がオフ状態である場合に、供給された電圧は、徐々に低下する。具体的には、画素選択トランジスタ３００がオフ状態である場合においても、リーク電流などがあるため、コンデンサ３０２に保持された電圧は、徐々に低下する。
【００４２】
具体的には、画素選択トランジスタ３００は、１フレーム期間に１度オン状態となる。その為、コンデンサ３０２は、画素選択トランジスタ３００がオン状態である時に供給された電圧を、１フレーム期間保持することが理想であるが、リーク電流などによって、コンデンサ３０２の電圧は徐々に低下する。従って、コンデンサ３０２の電圧によって有機ＥＬ素子３１０の発光量が定まることから、各サブピクセル２３０の輝度は、１フレーム期間に徐々に低下する。
【００４３】
電源３０４は、黒挿入トランジスタ３１２と接続され、有機ＥＬ素子３１０に電流を供給する。具体的には、電源３０４は、黒挿入トランジスタ３１２のソース端子またはドレイン端子と電気的に接続される。電源３０４は、一定の電圧が印加されるため、駆動トランジスタ３０８及び黒挿入トランジスタ３１２がオン状態であるときに、有機ＥＬ素子３１０に電流を供給する。
【００４４】
カソード電極３０６は、有機ＥＬ素子３１０と電気的に接続される。具体的には、カソード電極３０６は、有機ＥＬ素子３１０のカソード端子と電気的に接続され、電源３０４との間で電圧を印加されることにより、有機ＥＬ素子３１０に電流を供給する。
【００４５】
駆動トランジスタ３０８は、画素選択トランジスタ３００、コンデンサ３０２、黒挿入トランジスタ３１２、及び、有機ＥＬ素子３１０と接続される。具体的には、駆動トランジスタ３０８のゲート端子は、画素選択トランジスタ３００のソース端子又はドレイン端子、及び、コンデンサ３０２と電気的に接続される。駆動トランジスタ３０８のソース端子又はドレイン端子の一方は、黒挿入トランジスタ３１２のソース端子またはドレイン端子と電気的に接続される。また、駆動トランジスタ３０８のソース端子又はドレイン端子の他の一方は、コンデンサ３０２及び有機ＥＬ素子３１０のアノード端子と電気的に接続される。
【００４６】
また、駆動トランジスタ３０８は、有機ＥＬ素子３１０に電流を供給する。具体的には、駆動トランジスタ３０８は、コンデンサ３０２に印加された電圧に応じて、電源３０４から供給される電流を有機ＥＬ素子３１０に供給する。
【００４７】
有機ＥＬ素子３１０は、１フレーム期間の間、徐々に輝度低下しつつ発光する。即ち、複数の画素２２８の各々は、１フレーム期間中に輝度が漸次低下する。具体的には、有機ＥＬ素子３１０は、コンデンサ３０２に保持された電圧に応じた電流が、駆動トランジスタ３０８によって供給される。上記のように、コンデンサ３０２に保持された電圧は、１フレーム期間の間徐々に低下する。従って、有機ＥＬ素子３１０は、１フレーム期間の間、徐々に輝度低下しつつ発光する。
【００４８】
黒挿入トランジスタ３１２は、有機ＥＬ素子３１０に対する電流の供給、或いは電源の供給を遮断するか否かを制御する。具体的には、黒挿入トランジスタ３１２のソース端子またはドレイン端子の一方は、電源３０４に接続され、他の一方は、駆動トランジスタ３０８のソース又はドレイン端子と電気的に接続される。また、駆動トランジスタ３０８のゲート端子は、黒挿入ゲート信号線２２６と電気的に接続される。
【００４９】
黒挿入トランジスタ３１２は、黒挿入ゲート信号線２２６から供給される黒挿入信号によって、オン状態またはオフ状態となるように制御される。黒挿入トランジスタ３１２がオン状態の場合、黒挿入トランジスタ３１２は、電源３０４から供給される電流を、駆動トランジスタ３０８を介して有機ＥＬ素子３１０に供給する。一方、黒挿入トランジスタ３１２がオフ状態の場合、黒挿入トランジスタ３１２は、有機ＥＬ素子３１０に対する電流の供給を遮断する。
【００５０】
続いて、本発明における表示装置１００の駆動方法について説明する。本発明における駆動方法は、上記のような１フレーム期間の間、徐々に輝度低下しつつ発光する有機ＥＬ素子３１０を有する複数の画素２２８で構成される有機ＥＬ表示装置の駆動方法であって、１フレーム期間に、順に第１発光期間と、黒表示期間と、第２発光期間と、を含む。
【００５１】
具体的な駆動方法について、図４及び図５を用いて説明する。本実施形態において、表示装置１００の駆動方法は、６０Ｈｚのフレーム周波数で駆動する通常モードと、３０Ｈｚのフレーム周波数で駆動する省電力モードと、を有する。
【００５２】
図４は、通常モードにおける、ゲートスタート信号、第１黒挿入スタート信号、第２黒挿入スタート信号、及び、黒挿入信号のタイミングチャートを示す図である。
【００５３】
ゲートスタート信号は、１フレーム期間の最初に一定期間ロー状態となり、１フレーム期間（１６．７ｍｓ）の残りの期間ハイ状態となる。
【００５４】
第１黒挿入スタート信号は、１フレーム期間の最初にｔ１の期間ロー状態となり、図４に示すｔｃｙｃｌｅの残り期間ハイ状態となる。また、第１黒挿入スタート信号は、１フレーム期間に、ｔｃｙｃｌｅを４周期含む。
【００５５】
なお、第１黒挿入スタート信号に含まれるｔ１の期間及びｔｃｙｃｌｅの周期の数は、周期幅メモリ２１８に記憶された情報によって設定される。
【００５６】
第２黒挿入スタート信号は、通常モードにおいて、第１黒挿入スタート信号と同じ信号である。通常モードにおいては、補正メモリ２２０は、第１黒挿入スタート信号と同じ第２黒挿入スタート信号が生成されるような情報を記憶する。
【００５７】
黒挿入信号は、表示パネル２１２に形成された画素２２８の行ごとに、第２黒挿入スタート信号を１水平期間ずつシフトした信号である。具体的には、図４に示すＢＧｎは、表示パネル２１２のｎ行目に配置された黒挿入ゲート信号線２２６に供給される黒挿入信号である。図４に示すように、１行目に配置された黒挿入ゲート信号線２２６に供給されるＢＧ１は、第２黒挿入スタート信号をシフトした信号である。
【００５８】
また、図４に示すように、２行目に配置された黒挿入ゲート信号線２２６に供給される黒挿入信号であるＢＧ２は、ＢＧ１を１水平期間シフトした信号である。同様にＢＧ３以降の信号は、１行上側の黒挿入ゲート信号線２２６に供給された黒挿入信号を１水平期間シフトした信号である。
【００５９】
上記のように、黒挿入信号が１水平期間に４回ロー信号となることにより、表示装置１００は、１水平期間に４回の黒表示を行う。
【００６０】
続いて、省電力モードにおける各信号について説明する。図５は、省電力モードにおける、ゲートスタート信号、第１黒挿入スタート信号、第２黒挿入スタート信号、及び、黒挿入信号のタイミングチャートを示す図である。
【００６１】
ゲートスタート信号は、１フレーム期間の最初にロー状態となり、１フレーム期間（３３．３ｍｓ）の残りの期間ハイ状態となる。
【００６２】
第１黒挿入スタート信号は、１フレーム期間の最初にｔ１の期間ロー状態となり、図４に示すｔｃｙｃｌｅの残り期間ハイ状態となる。また、第１黒挿入スタート信号は、１フレーム期間に、ｔｃｙｃｌｅを８周期含む。
【００６３】
第２黒挿入スタート信号は、省電力モードにおいて、第１黒挿入スタート信号に含まれるパルス幅が、１フレーム期間内に徐々に短くなった信号である。具体的には、第１黒挿入スタート信号は、１フレーム期間に幅がｔ１であるパルスを８個含む。これに対し、第２黒挿入スタート信号は、１フレーム期間に幅がｔ１乃至ｔ８であるパルスを順に含む。また、ｔ１乃至ｔ８の長さは、順に短くなっている。
【００６４】
当該第２黒挿入スタート信号は、記憶部２０８が黒表示期間と第２発光期間の間に、複数の発光期間を有し、該複数の発光期間は、第１発光期間から第２発光期間に近づくにつれて徐々に長くなるように情報を記憶していることによって生成される。
【００６５】
黒挿入信号は、通常モードの場合と同様に、マトリクス状に形成された画素２２８の行ごとに、第２黒挿入スタート信号を１水平期間ずつシフトした信号である。具体的には、図４に示すＢＧ１は、第２黒挿入スタート信号をシフトした信号である。また、ＢＧ２以降の信号は、１行上側の黒挿入ゲート信号線２２６に供給された黒挿入信号を１水平期間シフトした信号である。
【００６６】
なお、第２黒挿入スタート信号に含まれるパルス幅が、１フレーム期間内に徐々に短くなっているが、１フレーム期間に含まれるパルス幅は、全て同じ幅であってもよいし、１フレーム期間の最後のパルス幅のみ短くするようにしてもよい。
【００６７】
上記のように、黒挿入信号が１水平期間に８回ロー信号となることにより、表示装置１００は、１水平期間に８回の黒表示を行う。具体的には、例えば、図６を用いて黒表示について説明する。図６左部に示すように、１フレーム期間の開始時点からｎ水平期間が経過した状態において、表示装置１００は、８本の帯状の領域において、黒表示がされている。また、図６右部に示すように、１フレーム期間の開始時点からｎ＋１水平期間が経過した状態では、表示装置１００は、１ラインずつ下側にずれた８本の帯状の領域において、黒表示がされている。
【００６８】
なお、黒表示の幅は、黒挿入信号のパルス幅に対応する。図６においては、黒表示の幅が全て４ラインであるが、黒表示の幅は、図５に示すｔ１乃至ｔ８の長さと対応する長さとしてもよい。
【００６９】
続いて、省電力モードにおける、輝度の時間による変化について、図７を用いて説明する。図７に示すように、１フレーム期間に、１０個の発光期間が設けられる。ここで、１フレーム期間に含まれる各発光期間の長さと当該発光期間の輝度の積で表される面積を、順にＳ１ａ乃至Ｓ１ｅ及びＳ２ａ乃至Ｓ２ｅとする。また、面積がＳ１ａである発光期間を第１発光期間とし、面積がＳ２ｅである発光期間を第２発光期間とし、それ以外の発光期間を第３発光期間とする。
【００７０】
図７に示すように、有機ＥＬ素子３１０は、１フレーム期間の間、徐々に輝度低下しつつ発光することから、各発光期間の輝度は、第１発光期間から第２発光期間にかけて徐々に低下する。
【００７１】
本発明においては、各画素２２８は、第１発光期間に入力された映像信号に応じた輝度で発光し、黒表示期間に黒画像を表示し、第２発光期間に第１発光期間よりも低い輝度を発光する。ここで、記憶部２０８は、発光期間の長さと輝度の積で表される面積が、第１発光期間よりも第２発光期間の方が大きくなるように情報を記憶する。従って、図７におけるＳ１ａよりもＳ２ｅの面積が大きくなる。
【００７２】
なお、記憶部２０８は、さらに、黒表示期間と第２発光期間の間に、第１発光期間と同じ長さの第３発光期間を有するように情報を記憶する手段を含んでもよいし、第３発光期間を有さないように情報を記憶する手段を含んでもよい。
【００７３】
具体的には、Ｓ１ｂ乃至Ｓ２ｄの面積は、Ｓ１ａの面積と同じとしてもよい。この場合、記憶部２０８は、黒表示期間と第２発光期間の間に、第１発光期間と同じ長さの第３発光期間を有するように情報を記憶する。また、図７においては８個の第３発光期間が設けられているが、少なくとも第１発光期間及び第２発光期間を設けられればよく、第３発光期間を設けない構成としてもよい。
【００７４】
また、記憶部２０８は、さらに、黒表示期間と第２発光期間の間に、第１発光期間よりも短く、第２発光期間よりも長い第３発光期間を有するように情報を記憶する手段を含んでもよい。具体的には、記憶部２０８は、黒表示期間と第２発光期間の間に、複数の第３発光期間を有し、該複数の第３発光期間は、第１発光期間から第２発光期間に近づくにつれて徐々に長くなるように情報を記憶する手段を含んでもよい。
【００７５】
例えば、図７に示すように、Ｓ１ｂ乃至Ｓ２ｄの面積は、Ｓ１ａの面積より小さく、Ｓ２ｅの面積より大きくしてもよい。さらに、この場合、Ｓ１ｂ乃至Ｓ２ｄの面積が、第２発光期間に近づくにつれて徐々に小さくなるようにしてもよい。
【００７６】
上記のように、第２発光期間の面積を第１発光期間の面積よりも大きくなるにする駆動方法によって、人間の目に認識されるフリッカが低減される。
【００７７】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００７８】
１００  表示装置、１１０  上フレーム、１２０  下フレーム、１３０  表示モジュール、２００  タイミングコントロール回路、２０２  信号系ゲート回路、２０４  ソース回路、２０６  パルス信号生成回路、２０８  記憶部、２１０  ＥＬ系ゲート回路、２１２  表示パネル、２１４  黒挿入補正回路、２１６  黒挿入生成回路、２１８  周期幅メモリ、２２０  補正メモリ、２２２  ゲート信号線、２２４  映像信号線、２２６  黒挿入ゲート信号線、２２８  画素、２３０  サブピクセル、３００  画素選択トランジスタ、３０２  コンデンサ、３０４  電源、３０６  カソード電極、３０８  駆動トランジスタ、３１０  有機ＥＬ素子、３１２  黒挿入トランジスタ。
【図１】
2018063351.tif 000003
【図２】
2018063351.tif 000004
【図３】
2018063351.tif 000005
【図４】
2018063351.tif 000006
【図５】
2018063351.tif 000007
【図６】
2018063351.tif 000008
【図７】
2018063351.tif 000009
【図８】
2018063351.tif 000010